(57)【要約】【課題】多出力の電源装置であって、異常を検出してプロテクト機能が働いた後に、容易に異常箇所を特定する。【解決手段】複数種類の電力変換回路を有し、複数の電源出力を行うとともに、電源出力異常時に電源出力を停止する電源装置１０のマイクロコンピューター１９は、複数の電源出力を監視し、異常の有無を検出し、異常が検出された電源出力の組み合わせに基づいて、異常が発生していると想定される電力変換回路を特定し、特定された電力変換回路をＬＥＤディスプレイ２０に表示して告知する。【選択図】図１
2011010469.tif 000002
【特許請求の範囲】
【請求項１】
複数種類の電力変換回路を有し、前記電力変換回路の一または複数からなる組み合わせに基づき複数の電源出力を行うとともに、前記電源出力異常時に電源出力を停止する電源装置であって、
前記複数の電源出力を監視し、異常の有無を検出する電源監視部と、
異常が検出された電源出力の一または複数の組み合わせに基づいて、異常が発生していると想定される前記電力変換回路を特定する異常回路特定部と、
前記特定された電力変換回路を告知する告知部と、
を備えたことを特徴とする電源装置。
【請求項２】
請求項１記載の電源装置であって、
前記電源装置の異常を検出する複数の検出回路を備え、
前記電源監視部は、一または複数の検出回路が検出した異常状態を判別し、
前記告知部は、前記判別した異常状態を前記特定された電力変換回路に対応づけて告知する、
ことを特徴とする電源装置。
【請求項３】
請求項２記載の電源装置であって、
異常が発生していると想定される前記電力変換回路に関する情報と、異常が検出された前記電源出力の情報または前記検出した異常状態に関する情報の少なくともいずれかと、を対応づけて記憶する異常状態記憶部を備え、前記異常回路特定部は前記異常状態記憶部の各情報に基づき異常が発生していると想定される前記電力変換回路を特定することを特徴とする電源装置。
【請求項４】
請求項１ないし請求項３のいずれかに記載の電源装置であって、
前記複数種類の電力変換回路は、自己の電源出力を後段の一または複数の電力変換回路に出力するように接続された電力変換回路を含むことを特徴とする電源装置。
【請求項５】
複数種類の電力変換回路を有し、前記電力変換回路の一または複数からなる組み合わせに基づき複数の電源出力を行うとともに、前記電源出力異常時に電源出力を停止する電源装置の制御方法であって、
前記複数の電源出力を監視し、異常の有無を検出する電源監視過程と、
異常が検出された電源出力の一または複数の組み合わせに基づいて、異常が発生していると想定される前記電力変換回路を特定する異常回路特定過程と、
前記特定された電力変換回路を告知する告知過程と、
を備えたことを特徴とする電源装置の制御方法。
【請求項６】
複数種類の電力変換回路を有し、複数の電源出力を行うとともに、前記電源出力異常時に電源出力を停止する電源装置を制御部により制御するための制御プログラムであって、
前記制御部は前記複数の電源出力を監視し、異常の有無を検出させる電源監視手段、
異常が検出された電源出力の組み合わせに基づいて、異常が発生していると想定される前記電力変換回路を特定する異常回路特定手段、
前記特定された電力変換回路を告知させる告知手段、
として機能させることを特徴とする制御プログラム。
【発明の詳細な説明】
【技術分野】
【０００１】
本発明は、電源装置、電源装置の制御方法および制御プログラムに係り、特に出力電圧、極性、電流容量うち少なくともいずれかが異なる複数の電源を供給可能な多電源出力の電源装置、電源装置の制御方法および制御プログラムに関する。
【背景技術】
【０００２】
従来、据置型コンピューターなどの各種電子機器においては、出力電圧の異なる複数の電源あるいは出力電圧が同一で電流容量の異なる複数の電源を供給可能なマルチ出力の電源装置を内蔵しているものが知られている。
このような電源装置においては、機器の保護などのため、種々のプロテクト機能（検出回路）を有しているものがある（例えば、特許文献１参照）。具体的には、温度上昇プロテクト（ＯＴＰ）、過電流プロテクト（ＯＣＰ）、過電圧プロテクト（ＯＶＰ）、低電圧プロテクト（ＵＶＰ）などが挙げられる。
【先行技術文献】
【特許文献】
【０００３】
【特許文献１】特開２００７−１１６８７３号公報
【発明の概要】
【発明が解決しようとする課題】
【０００４】
ところで、上記プロテクト機能を有している電源装置においては、いずれかのプロテクト機能が働いた場合には、安全確保および被電源供給機器の保護を図るため電源出力を停止することとなっていた。
したがって、電源出力停止後に検査あるいは修理を行おうとした場合には、電源装置を構成する電源回路のうち、いずれが故障したのかを特定できるわけではなく、故障箇所を特定するために工数がかかるという問題点があった。
そこで、本発明の目的は、多電源出力の電源装置において、異常を検出してプロテクト機能が働いた後に、容易に異常箇所を特定することが可能な電源装置、電源装置の制御方法及び制御プログラムを提供することにある。
【課題を解決するための手段】
【０００５】
上記課題を解決するために、本発明は、複数種類の電力変換回路を有し、前記電力変換回路の一または複数からなる組み合わせに基づき複数の電源出力を行うとともに、前記電源出力異常時に電源出力を停止する電源装置であって、前記複数の電源出力を監視し、異常の有無を検出する電源監視部と、異常が検出された電源出力の一または複数の組み合わせに基づいて、異常が発生していると想定される前記電力変換回路を特定する異常回路特定部と、前記特定された電力変換回路を告知する告知部と、を備えたことを特徴とする。
上記構成によれば、電源装置は、複数種類の電力変換回路を有し、前記電力変換回路組み合わせに基づき複数の電源出力を行うものであり、電源監視部は、複数の電源出力を監視し、異常の有無を検出する。
異常回路特定部は、異常が検出された電源出力の組み合わせに基づいて、異常が発生していると想定される電力変換回路を特定できる。
これらにより、告知部は、特定された電力変換回路を告知する。
したがって、告知された電力変換回路に基づいて、ユーザーは、容易に異常箇所を特定することが可能となる。
【０００６】
この場合において、前記電源装置の異常を検出する複数の検出回路を備え、前記電源監視部は、一または複数の検出回路の異常状態を判別し、前記告知部は、前記判別した異常状態を前記特定された電力変換回路に対応づけて告知するようにしてもよい。
上記構成によれば、ユーザーは、異常箇所および異常状態を容易に把握することができ、対処が容易となる。
【０００７】
また、異常が発生していると想定される前記電力変換回路に関する情報と、異常が検出された前記電源出力の情報または前記検出した異常状態に関する情報と、を対応づけて不揮発的に記憶する異常状態記憶部を備え、前記異常回路特定部は前記異常状態記憶部の各情報に基づき異常が発生していると想定される前記電力変換回路を特定するようにしてもよい。
上記構成によれば、各情報の組み合わせより異常が発生していると想定される前記電力変換回路を特定することができ、また電源出力が停止した後、修理等のため電源装置のスイッチが切られたり電源コネクタが抜かれてしまった後であっても、異常箇所あるいは異常状態を容易に把握することができ、対処が容易となる。
【０００８】
また、前記複数種類の電力変換回路は、自己の電源出力を後段の一または複数の電力変換回路に出力するように接続された電力変換回路を含むようにしてもよい。
上記構成によれば、異常が検出された電源出力の組み合わせに基づいてより容易に異常箇所を特定することができる。
【０００９】
また、複数種類の電力変換回路を有し、前記電力変換回路の一または複数からなる組み合わせに基づき複数の電源出力を行うとともに、前記電源出力異常時に電源出力を停止する電源装置の制御方法であって、前記複数の電源出力を監視し、異常の有無を検出する電源監視過程と、異常が検出された電源出力の一または複数の組み合わせに基づいて、異常が発生していると想定される前記電力変換回路を特定する異常回路特定過程と、前記特定された電力変換回路を告知する告知過程と、を備えたことを特徴とする。
上記構成によれば、告知された電力変換回路に基づいて、ユーザーは、容易に異常箇所を特定することが可能となる。
【００１０】
また、複数種類の電力変換回路を有し、複数の電源出力を行うとともに、前記電源出力異常時に電源出力を停止する電源装置を制御部により制御するための制御プログラムであって、前記制御部は前記複数の電源出力を監視し、異常の有無を検出させる電源監視手段、異常が検出された電源出力の組み合わせに基づいて、異常が発生していると想定される前記電力変換回路を特定する異常回路特定手段、前記特定された電力変換回路を告知させる告知手段、として機能させることを特徴とする。
上記構成によれば、告知された電力変換回路に基づいて、ユーザーは、容易に異常箇所を特定することが可能となる。
【発明の効果】
【００１１】
本発明によれば、多出力の電源装置において、異常を検出してプロテクト機能が働いた後に、容易に異常箇所を特定することができる。
【図面の簡単な説明】
【００１２】
【図１】実施形態の電源装置の概要構成ブロック図である。
【図２】過電流検出回路の具体例の説明図である。
【図３】ＬＥＤディスプレイの具体例の平面図である。
【図４】実施形態の処理フローチャートである。
【図５】マイクロコンピューターにおける異常箇所を特定するためのテーブルの説明図である。
【図６】実施形態の変形例の説明図である。
【発明を実施するための形態】
【００１３】
以下、図面を参照して本発明の実施形態について説明する。
図１は、実施形態の電源装置の概要構成ブロック図である。
なお、以下の説明において、各電力変換回路の電源出力の電圧（電源出力電圧）、極性および電流容量は一例であり、これに限定されるものではない。
電源装置１０は、コンピューター、電子機器などの多電源を必要とする機器に、直流電源を供給する電源装置であり、交流入力端子ＡＣＩ（Alternating Current Inlet）を介して商用電源から供給される交流電力の電源ノイズを除去し、整流を行うフィルター・整流回路１１と、力率を向上させるＰＦＣ（Ｐｏｗｅｒ  Ｆａｃｔｏｒ  Ｃｏｒｒｅｃｔｉｏｎ）回路１２と、スイッチング損失及びノイズを低減するためにスイッチング素子に共振用リアクトル及び共振用コンデンサーを有する共振回路を付加し、ＰＦＣ回路１２の電源出力（約３８０Ｖ）を＋２４Ｖ／２Ａの電源出力に変換して電源出力コネクターＴＪを介して出力する第１の電力変換回路Ｃ１としての電流共振コンバーター１３と、図示しないフライバックトランスを有し、ＰＦＣ回路１２の電源出力を＋５Ｖ／１Ａのスタンバイ（ＳＢ）電源出力に変換して出力する第２の電力変換回路Ｃ２としてのフライバックコンバーター１４と、ＰＦＣ回路１２の電源出力を＋５Ｖ／１３Ａおよび＋１２Ｖ／５Ａの電源出力に変換して出力する第３の電力変換回路Ｃ３としての新部分共振コンバーター１５と、を備えている。
【００１４】
さらに電源装置１０は、新部分共振コンバーター１５の＋５Ｖ／１３Ａ電源出力が入力され、同期整流を行って＋３．３Ｖ／５．５Ａの電源出力に変換して出力する第４の電力変換回路Ｃ４としての同期整流コンバーター１６と、新部分共振コンバーター１５の＋５Ｖ／１３Ａ電源出力が入力され、ＰＷＭ変換を行って−１２Ｖ／０．３Ａの電源出力に変換して出力する第５の電力変換回路Ｃ５としてのＰＷＭコンバーター１７と、冷却ファン１８にファンコントロール信号を出力するとともに、各電力変換回路の電源出力を監視し、異常検出時に電源出力の停止および異常箇所の特定を行い、告知制御を行うとともに、電源装置１０全体を中枢的に制御するマイクロコンピューター１９（制御部）と、マイクロコンピューター１９の告知制御下で異常告知を行うＬＥＤディスプレイ２０（告知部）と、新部分共振コンバーター１５による＋１２Ｖ／５Ａの電源出力の上限電流を制限（例えば、ピーク時電流１０Ａ）するためのアッパーカット回路２２と、過熱状態を検出するための温度センサー２３と、を備えている。
【００１５】
上記構成において、ＰＦＣ回路１２、電流共振コンバーター１３および新部分共振コンバーター１５は、それぞれ自己を制御するためのコントローラー１２ａ、１３ａ、１５ａを備えている。
また、電流共振コンバーター１３の出力側には、過電流検出信号Ｉ１を出力する過電流検出回路ＤＴ１が設けられ、フライバックコンバーター１４の出力側には、過電流検出信号Ｉ２を出力する過電流検出回路ＤＴ２が設けられ、同期整流コンバーター１６の入力側には、過電流検出信号Ｉ３を出力する過電流検出回路ＤＴ３が設けられ、ＰＷＭコンバーター１７の入力側には、過電流検出信号Ｉ４を出力する過電流検出回路ＤＴ４が設けられ、同期整流コンバーター１６の出力側には、過電流検出信号Ｉ５を出力する過電流検出回路ＤＴ５が設けられ、ＰＷＭコンバーター１７の出力側には、過電流検出信号Ｉ６を出力する過電流検出回路ＤＴ６が設けられている。
【００１６】
ここで、過電流検出回路ＤＴ１〜ＤＴ６について説明する。
図２は、過電流検出回路の具体例の説明図である。
過電流検出回路ＤＴ１〜ＤＴ６は、ほぼ同様の構成となっているため、図２には、過電流検出回路ＤＴ１を例として記載している。
過電流検出回路ＤＴ１は、図２に示すように、電流共振コンバーター１３と電源出力コネクターＴＪとの間に直列に挿入された電流検出抵抗ＲＸ（過電流検出回路ＤＴ１においては、抵抗値＝０．０１Ω）と、オペアンプで構成されたコンパレーターＣＭＰと、コンパレーターＣＭＰの入力抵抗として機能する抵抗Ｒ１と、電流検出抵抗ＲＸの両端電圧を過電流検出用電圧として安定的に保持するための電解コンデンサーＣＰ１と、ロウパスフィルターとして機能する抵抗Ｒ２、コンデンサーＣＰ２と、を備えている。
【００１７】
このとき、抵抗Ｒ１は、コンパレーターＣＭＰに流れ込む電流の値を抑制し、電解コンデンサーＣＰ１は、電流検出抵抗ＲＸの両端電圧に対応する電圧を蓄電する。そして、抵抗Ｒ２、コンデンサーＣＰ２は、ロウパスフィルターとして機能し、ノイズなどを抑制し、電解コンデンサーＣＰ１の両端電圧を安定的にコンパレーターＣＭＰに入力する。
コンパレーターＣＭＰは、電解コンデンサーＣＰ１の両端電圧と、過電流検出しきい値電圧（例えば、定格電流の１２０％に対応する電流が電流検出抵抗ＲＸを流れた場合に相当する電圧）と、を比較し、過電流検出信号Ｉ１のレベルを過電流検出の有無に対応するレベルに設定する。
【００１８】
上記構成の結果、電流検出抵抗ＲＸの両端電圧が過電流検出しきい値電圧を超えた場合には、コンパレーターＣＭＰは、例えば、“Ｈ”レベルの過電流検出信号Ｉ１をマイクロコンピューター１９に出力する。
また、マイクロコンピューター１９は、図示しないＭＰＵ、ＲＯＭ、ＲＡＭおよび不揮発性ＲＡＭ１９ａ（不揮発性メモリ）を備え、この不揮発性ＲＡＭ１９ａには、異常検出時に異常箇所の特定情報（異常箇所特定データ）および異常状態を示す異常状態情報（異常状態データ）を不揮発的に記憶している。また、マイクロコンピューター１９は、外部の被電源供給機器などにより電源供給要求信号ＰＳ＿ＯＮ＃信号が“Ｌ”レベルとされると、電源供給を開始するように動作し、電源供給を正常に行っている状態では、電源供給可否信号ＰＷＲ_ＯＫ信号を“Ｈ”レベルとする。
さらにマイクロコンピューター１９は、電源監視部として機能するために、電流共振コンバーター１３の電源出力電圧Ｖ１、フライバックコンバーター１４の電源出力電圧Ｖ２、新部分共振コンバーター１５の２系統の電源出力電圧Ｖ３、Ｖ４、同期整流コンバーター１６の電源出力電圧Ｖ５、ＰＷＭコンバーター１７の電源出力電圧Ｖ６、および過電流検出信号Ｉ１〜Ｉ６を常時監視している。
【００１９】
図３は、ＬＥＤディスプレイの具体例の平面図である。
ＬＥＤディスプレイ２０は、６個のＬＥＤ２１−１からＬＥＤ２１−６を有している。ＬＥＤ２１−１は表示モードを表すＬＥＤであり、消灯時には、ＬＥＤ２１−２からＬＥＤ２１−５は、異常が発生している電源出力を特定する情報を表示し、ＬＥＤ２１−６は、異常状態を特定する情報を表示する。また、ＬＥＤ２１−１の点灯時には、ＬＥＤ２１−２からＬＥＤ２１−６は、異常が発生していると想定される電力変換回路を特定する情報を表示する。
【００２０】
次に実施形態の動作を説明する。
図４は、実施形態の処理フローチャートである。
これらの処理は、マイクロコンピューター１９に予め格納された制御プログラムにより実現される。
マイクロコンピューター１９は、外部より電源供給要求信号ＰＳ＿ＯＮ＃信号が“Ｌ”レベルとされると、電源供給を開始するとともに、電源監視部として機能し、随時、電流共振コンバーター１３、フライバックコンバーター１４、新部分共振コンバーター１５、同期整流コンバーター１６及びＰＷＭコンバーター１７の電源出力の電圧検出を行い、温度センサー２３による温度検出を行っている（ステップＳ１１）。
電圧検出および温度検出が完了すると、マイクロコンピューター１９は、異常回路特定部として機能し、異常があったか否かを判別する（ステップＳ１２）。
【００２１】
具体的には、電流共振コンバーター１３、フライバックコンバーター１４、新部分共振コンバーター１５、同期整流コンバーター１６及びＰＷＭコンバーター１７の電源出力の基準電圧に対し、±１０％以上の電圧が検出された場合には、異常と判断し、温度センサー２３については、周囲温度が所定の過熱基準温度（例えば、９０℃〜１１０℃）を超えた場合に異常と判断する。
【００２２】
図５は、マイクロコンピューター１９における異常箇所を特定するためのテーブルの説明図である。電源出力電圧Ｖ１からＶ６または各検出信号Ｉ１からＩ６と、それらと相関関係にある電力変換回路Ｃ１からＣ５の組み合わせである。電源出力電圧Ｖ１からＶ６または各検出信号Ｉ１からＩ６に異常があった場合、それらの組み合わせと、関連する電力変換回路Ｃ１からＣ５の組み合わせから、電力変換回路が特定できるようになっている。これらは、マイクロコンピューター１９のＲＯＭなどのメモリに記憶されている。
図５に示すように、マイクロコンピューター１９は、電源出力電圧Ｖ１（２４Ｖ／２Ａ）あるいは過電流検出信号Ｉ１が単独で（＝他の電源回路の異常が検出されない状態でという意味。以下、同様。）異常であると検出した場合には、第１の電力変換回路Ｃ１である電流共振コンバーター１３が異常状態にあると想定する。
同様にマイクロコンピューター１９は、電源出力電圧Ｖ２（＋５Ｖ／１Ａスタンバイ）あるいは過電流検出信号Ｉ２が単独で異常であると検出した場合には、第２の電力変換回路Ｃ２であるフライバックコンバーター１４が異常状態にあると想定する。
【００２３】
また、マイクロコンピューター１９は、電源出力電圧Ｖ３あるいは過電流検出信号Ｉ３が異常であると検出した場合には、第３の電力変換回路Ｃ３である新部分共振コンバーター１５が異常状態にあると想定する。この場合に、電源出力電圧Ｖ５が正常である場合には、マイクロコンピューター１９は、第４の電力変換回路Ｃ４である同期整流コンバーター１６は正常であるので、新部分共振コンバーター１５が単独で異常状態にあると想定する。また、電源出力電圧Ｖ５が異常である場合には、マイクロコンピューター１９は、新部分共振コンバーター１５及び第４の電力変換回路Ｃ４である同期整流コンバーター１６も異常状態にあると想定することとなる。
【００２４】
また、マイクロコンピューター１９は、電源出力電圧Ｖ４あるいは過電流検出信号Ｉ４が異常であると検出した場合には、第３の電力変換回路Ｃ３である新部分共振コンバーター１５が異常状態にあると想定する。この場合に、電源出力電圧Ｖ６および過電流検出信号Ｉ６が正常である場合には、マイクロコンピューター１９は、第５の電力変換回路Ｃ５であるＰＷＭコンバーター１７は正常であるので、新部分共振コンバーター１５が単独で異常状態にあると想定する。また、電源出力電圧Ｖ５あるいは過電流検出信号Ｉ５が異常である場合には、マイクロコンピューター１９は、新部分共振コンバーター１５及び第５の電力変換回路Ｃ５であるＰＷＭコンバーター１７も異常状態にあると想定することとなる。
また、マイクロコンピューター１９は、電源出力電圧Ｖ５（＋３．３Ｖ／５．５Ａ）あるいは過電流検出信号Ｉ５が単独で異常であると検出した場合には、第４の電力変換回路Ｃ４である同期整流コンバーター１６が異常状態にあると想定する。
【００２５】
また、マイクロコンピューター１９は、電源出力電圧Ｖ６（−１２Ｖ／０．３Ａ）あるいは過電流検出信号Ｉ６が単独で異常であると検出した場合には、第５の電力変換回路Ｃ５であるＰＷＭコンバーター１７が異常状態にあると想定する。
ステップＳ１２の判別において、異常が検出された場合には（ステップＳ１２；Ｙｅｓ）、マイクロコンピューター１９は、異常箇所および異常状態（ＯＴＰ、ＯＣＰ、ＵＶＰあるいはＯＶＰ）を異常状態記憶部としての不揮発性ＲＡＭ１９ａに記録する（ステップＳ１３）。
続いて、マイクロコンピューター１９は、ＬＥＤディスプレイ２０と共働して、告知部として機能し、異常状態をＬＥＤディスプレイ２０に表示する（ステップＳ１４）。
【００２６】
ここで、具体的な表示例について説明する。
具体的には、ＬＥＤ２１−１の消灯時、かつ、ＬＥＤ２１−２の点灯時は、＋３．３Ｖ／５．５Ａの電源出力が異常である旨を表している。
また、ＬＥＤ２１−１の消灯時、かつ、ＬＥＤ２１−３の点滅時は、＋５Ｖの電源出力が異常である旨を表している。この場合において、例えば、所定期間ごとに１回点滅を繰り返す場合には、＋５Ｖ／１３Ａの電源出力が異常であることを表し、所定期間ごとに２回点滅を繰り返す場合には、＋５Ｖ／１Ａのスタンバイ（ＳＢ）電源出力が異常であることを表している。
また、ＬＥＤ２１−１の消灯時、かつ、ＬＥＤ２１−４の点滅時は、±１２Ｖの電源出力が異常である旨を表している。この場合において、例えば、所定期間ごとに１回点滅を繰り返す場合には、＋１２Ｖ／５Ａの電源出力が異常であることを表し、所定期間ごとに２回点滅を繰り返す場合には、−１２Ｖ／０．３Ａの電源出力が異常であることを表している。
【００２７】
また、ＬＥＤ２１−１の消灯時、かつ、ＬＥＤ２１−５は、＋２４Ｖ／２Ａの電源出力が異常である旨を表している。
また、ＬＥＤ２１−１の消灯時、かつ、ＬＥＤ２１−６の点灯時は、例えば、温度上昇プロテクト（ＯＴＰ）が機能した旨を表している。
また、ＬＥＤ２１−１の消灯時、かつ、ＬＥＤ２１−６の点滅時は、例えば、所定期間ごとに１回点滅を繰り返す場合には、過電流プロテクト（ＯＣＰ）が機能した旨を表し、所定期間ごとに２回点滅を繰り返す場合には、低電圧プロテクト（ＵＶＰ）が機能した旨を表し、所定期間ごとに３回点滅を繰り返す場合には、過電圧プロテクト（ＯＶＰ）が機能した旨を表している。
【００２８】
一方、ＬＥＤ２１−１の点灯時、かつ、ＬＥＤ２１−２の点灯時は、第１の電力変換回路Ｃ１、すなわち、本実施形態では、電流共振コンバーター１３が異常状態にあると想定される旨を表している。
また、ＬＥＤ２１−１の点灯時、かつ、ＬＥＤ２１−３の点灯時は、第２の電力変換回路Ｃ２、すなわち、本実施形態では、フライバックコンバーター１４が異常状態にあると想定される旨を表している。
【００２９】
また、ＬＥＤ２１−１の点灯時、かつ、ＬＥＤ２１−４の点灯時は、第３の電力変換回路Ｃ３、すなわち、本実施形態では、新部分共振コンバーター１５が異常状態にあると想定される旨を表している。
また、ＬＥＤ２１−１の点灯時、かつ、ＬＥＤ２１−５の点灯時は、第４の電力変換回路Ｃ４、すなわち、本実施形態では、新部分共振コンバーター１５が異常状態にあると想定される旨を表している。
また、ＬＥＤ２１−１の点灯時、かつ、ＬＥＤ２１−６の点灯時は、第５の電力変換回路Ｃ５、すなわち、本実施形態では、新部分共振コンバーター１５が異常状態にあると想定される旨を表している。
【００３０】
したがって、ユーザーは、ＬＥＤディスプレイ２０の表示状態を見るだけで、容易に異常箇所（故障箇所）および異常状態（故障状態）を特定することができる。
そして、マイクロコンピューター１９は、安全確保および被電源供給機器の保護を図るため電源出力を停止する（ステップＳ１５）。これに先だって、マイクロコンピューター１９は、電源出力異常を被電源供給機器に通知するために電源供給可否信号ＰＷＲ_ＯＫ信号を“Ｌ”レベルとして被電源供給機器側に通知することとなり、“Ｌ”レベルの電源供給可否信号ＰＷＲ_ＯＫ信号を受けた被電源供給機器は、バックアップ電源に切り替えるなどの処理を行うことが可能となる。
【００３１】
以上の説明のように、本実施形態によれば、電源監視部として機能するマイクロコンピューター１９は、複数の電力変換回路の電源出力を監視し、異常の有無を検出し、異常回路特定部として機能して異常が検出された電源出力の組み合わせに基づいて、異常が発生していると想定される電力変換回路を特定し、ＬＥＤディスプレイ２０と共働して告知部として機能し、特定された電力変換回路および異常状態を告知するので、異常を検出してプロテクト機能が働いた後に、ＬＥＤディスプレイ２０の表示をみるだけで、容易に異常箇所を特定し、異常状態を特定することができる。
【００３２】
以上の説明においては、異常を検出し、電源出力停止を行った直後の動作について説明したが、電源出力停止後に、電源装置１０の電源をオフした場合でも、再度、電源装置１０の電源をオンした場合には、マイクロコンピューター１９は、再度電源異常を検出することとなるので、ＬＥＤディスプレイ２０には、再度故障箇所が表示されることとなる。このような場合を想定して、不揮発性ＲＡＭ１９ａには、複数回の情報を記憶するように構成しておくのが望ましい。
以上の説明においては、第３の電力変換回路Ｃ３である新部分共振コンバーター１５は、自己の電源出力を後段の二つの電力変換回路である同期整流コンバーター１６およびＰＷＭコンバーター１７に出力するように接続されていたが、電力変換回路としては、後段の単独の電力変換回路に自己の電源出力を出力するように接続され、あるいは、後段の３つ以上の電力変換回路に自己の電源出力を出力するように接続されていても同様に適用が可能である。
【００３３】
図６は、実施形態の変形例の説明図である。
図６は、電力変換回路として、電流共振コンバーター１３の出力側に設けられる過電圧検出回路を例とした場合の説明図である。
以上の説明においては、各電源出力電圧Ｖ１〜Ｖ６は、直接マイクロコンピューター１９の図示しないアナログ／ディジタルポートに電圧信号（アナログ電圧信号）として印加されていたが、過電圧などについてマイクロコンピューター１９とは別個に検出回路を設け、過電圧などの検出の有無を表す検出信号をマイクロコンピューター１９にデジタル信号として入力するように構成することも可能である。
【００３４】
具体的には、一例として、図６に過電圧検出回路３０を示すように、電力変換回路としての電流共振コンバーター１３の出力側に、電流共振コンバーター１３の出力とグランドとの間に直列にツェナーダイオードＺＤ１と、分圧抵抗Ｒ３と、を設け、電流共振コンバーター１３の電源出力電圧Ｖ１がツェナーダイオードＺＤ１のツェナー電圧（図６では、２８Ｖ）を超えた場合に、ツェナーダイオードＺＤ１に電流が流れ、分圧抵抗Ｒ３により分圧されて、分圧電圧が抵抗Ｒ４を介してトランジスターＴＲ１のベース端子に印加される。
この結果、トランジスターＴＲ１は、導通状態となり、そのオン抵抗と抵抗Ｒ５により分圧された高電位側電源Ｖｃの電圧が分圧されて、“Ｈ”レベルの過電圧検出信号Ｖ１１としてマイクロコンピューター１９に出力されることとなる。
これにより、マイクロコンピューター１９は、上述した過電圧検出時の処理を行うこととなる。
上述した図６の変形例は、各電力変換回路Ｃ１〜Ｃ５とは、別個に検出回路を設ける場合のものであったが、各電力変換回路Ｃ１〜Ｃ５に検出回路を内蔵させるように構成することも可能である。
【符号の説明】
【００３５】
１０…電源装置、１３…電流共振コンバーター（電力変換回路）、１４…フライバックコンバーター（電力変換回路）、１５…新部分共振コンバーター（電力変換回路）、１６…同期整流コンバーター（電力変換回路）、１７…ＰＷＭコンバーター（電力変換回路）、１９…マイクロコンピューター（電源監視部、異常回路特定部、告知部、制御部）、１９ａ…不揮発性ＲＡＭ（異常状態記憶部）、２０…ＬＥＤディスプレイ（告知部）、２１−１〜２１−６…ＬＥＤ（告知部）、３０…過電圧検出回路、Ｉ１〜Ｉ５…過電流検出信号、Ｖ１〜Ｖ５…電源出力電圧。
【図１】
2011010469.tif 000003
【図２】
2011010469.tif 000004
【図３】
2011010469.tif 000005
【図４】
2011010469.tif 000006
【図５】
2011010469.tif 000007
【図６】
2011010469.tif 000008